(57)【特許請求の範囲】
【請求項１】
縦方向及び横方向を有し、前ウエスト域、後ウエスト域と、前記前後ウエスト域間に位置するクロッチ域と、前記クロッチ域から前記前後ウエスト域へ延びる吸液性コアを有する吸収パネルとを含む使い捨て着用物品において、
前記前ウエスト域には、両側縁間において前記横方向へ伸縮可能に連続して延びる複数条の前ウエスト弾性体が配置されており、
前記前ウエスト弾性体は、前記縦方向へ隣接して並ぶ第１、第２及び第３弾性体を有し、
前記第１弾性体は、前記吸液性コアの前端縁の前記縦方向の外側に位置し、前記第２弾性体は、前記第１弾性体と前記前端縁を挟んで対向し、かつ、前記前端縁の前記縦方向の内側に位置し、前記第３弾性体は、前記第２弾性体の前記縦方向の内側に位置し、
前記第１及び第２弾性体の収縮力が、前記第３弾性体の収縮力よりも小さいことを特徴とする前記着用物品。
【請求項２】
前記前ウエスト域の前記前ウエスト弾性体は、前記第１弾性体の伸長倍率が、前記第２及び第３弾性体の伸長倍率よりも低い請求項１に記載の着用物品。
【請求項３】
前記吸液性コアの前記前端縁と前記第１弾性体との前記縦方向における離間寸法が、前記前端縁と前記第２弾性体との前記縦方向における離間寸法よりも大きい請求項１又は２に記載の着用物品。
【請求項４】
前記前ウエスト域は、内外端縁と、前記外端縁と前記吸収パネルの前端縁との間に位置する外側弾性域と、前記吸液性コアの前記縦方向の外側において前記吸収パネルの前端部と重なって位置する第１中間弾性域と、前記第１中間弾性域から前記縦方向の内側へ延びる領域を２等分して区分された、前記第１中間弾性域側から前記縦方向へ順に並ぶ第２中間弾性域及び内側弾性域を有し、前記第１及び第２弾性体は前記第１中間弾性域に位置し、前記第３弾性体は前記第２中間弾性域に位置しており、前記外側弾性域の伸長応力よりも前記第１中間弾性域の伸長応力が高い請求項１〜３のいずれかに記載の着用物品。
【請求項５】
前記前ウエスト域において、前記各弾性域の伸長応力の相関関係が、第２中間弾性域＞第１中間弾性域≧外側弾性域＞内側弾性域である請求項４に記載の着用物品。
【請求項６】
前記第１中間弾性域において、前記第１及び第２弾性体を除く他の弾性体の収縮力が、前記第１及び第２弾性体の収縮力よりも大きい請求項４又は５に記載の着用物品。
【請求項７】
前記後ウエスト域は、内外端縁と、前記外端縁と前記吸収パネルの後端縁との間に位置する外側弾性域と、前記吸液性コアの前記縦方向の外側において前記吸収パネルの後端部と重なって位置する第１中間弾性域と、前記第１中間弾性域から前記縦方向の内側へ延びる領域を２等分して区分された、前記第１中間弾性域側から前記縦方向へ順に並ぶ第２中間弾性域及び内側弾性域を有し、各弾性域の伸長応力の相関関係が、外側弾性域≧第１中間弾性域＞第２中間弾性域＞内側弾性域である請求項４〜６のいずれかに記載の着用物品。
【請求項８】
前記後ウエスト域の前記外側弾性域の伸長応力が、前記前ウエスト域の前記外側弾性域の伸長応力よりも高い請求項７に記載の着用物品。
【請求項９】
前記前後ウエスト域の前記第１中間弾性域は、それぞれ、前記吸収パネルのうちの前記吸液性コアの前記前後端縁から前記縦方向の外側に位置する前後端縁と平面視において重なる請求項７又は８に記載の着用物品。
【請求項１０】
前記吸収パネルの肌対向面側において前記縦方向へ延びる一対の防漏カフをさらに有し、前記防漏カフは、前記縦方向において対向する両端固定部と、前記縦方向へ延びる両側部と、前記縦方向へ延びる複数条のカフ弾性体が配置された自由縁部とを有し、前記吸収パネルの前後端縁において前記両端固定部が固定される請求項１〜９のいずれかに記載の着用物品。
【請求項１１】
前記吸液性コアには、前記前端縁から前記縦方向の内側へ延びる変形誘導部が形成される請求項１〜１０のいずれかに記載の着用物品。
【発明の詳細な説明】
【技術分野】
【０００１】
本発明は、使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前ウエスト域において弾性域を有する使い捨て着用物品は公知である。例えば、特許文献１には、前後ウエストパネルを有する弾性ウエストパネルと、弾性ウエストパネルに接合される吸収パネルとを備え、前記ウエストパネルには横方向へ延びる複数条の前後ウエスト弾性体が配設された使い捨て着用物品が開示されている。吸収パネルは、吸液性コアと、吸液性コアの前後端縁から縦方向の外側に延びる前後端部を有する。
【先行技術文献】
【特許文献】
【０００３】
【特許文献１】特開２００９−２４０６９４号公報
【発明の概要】
【発明が解決しようとする課題】
【０００４】
特許文献１に開示の使い捨て着用物品によれば、前ウエスト域が、ウエスト開口縁に沿って横方向へ延びる外側弾性域と、吸液性コアを横断して延びる内側弾性域と、内側弾性域に位置し、かつ、吸収パネルの前端部と重なる中間弾性域を有し、中間弾性域の伸長応力が他の弾性域の伸長応力よりも高くなっている。それによって、吸液性コアの存在しない比較的に剛性の低い部分である前端部を着用者の身体に安定的にフィットさせることができる。
【０００５】
しかし、着用者が乳幼児の場合には、身体における中間弾性域の当接する部分が、前方へ突出した腹部の中央から下り勾配に延びる下方部分であって、腹部のうちで最も凹となる部分であることから、着用者が前屈みになった時などに、比較的に剛性が低く縮み寸法が大きな前端部が腹部に押されて内側に落ち込むような状態となり、ウエスト開口縁部が下方へ位置ずれして排泄物の漏れの誘因となることがある。
【０００６】
そこで、本発明は、前ウエスト域を着用者の腹部のうちで凹となる部分において安定的にフィットさせることによって、前ウエスト域の位置ずれを防止する使い捨て着用物品の提供を課題とする。
【課題を解決するための手段】
【０００７】
前記課題を解決するために、縦方向及び横方向を有し、前ウエスト域、後ウエスト域と、前記前後ウエスト域間に位置するクロッチ域と、前記クロッチ域から前記前後ウエスト域へ延びる吸液性コアを有する吸収パネルとを含む使い捨て着用物品に関する。
【０００８】
本発明に係る使い捨て着用物品は、前記前ウエスト域には、両側縁間において前記横方向へ伸縮可能に連続して延びる複数条の前ウエスト弾性体が配置されており、前記前ウエスト弾性体は、前記縦方向へ隣接して並ぶ第１、第２及び第３弾性体を有し、前記第１弾性体は、前記吸液性コアの前端縁の前記縦方向の外側に位置し、前記第２弾性体は、前記第１弾性体と前記前端縁を挟んで対向し、かつ、前記前端縁の前記縦方向の内側に位置し、前記第３弾性体は、前記第２弾性体の前記縦方向の内側に位置し、前記第１及び第２弾性体の収縮力が、前記第３弾性体の収縮力よりも小さいことを特徴とする。
【０００９】
前記前ウエスト域の前記前ウエスト弾性体は、前記第１弾性体の伸長倍率が、前記第２及び第３弾性体の伸長倍率よりも低いことから、吸液性コアと重なっていない、比較的に伸長されやすい第１弾性体の伸長倍率を抑えることで、吸液性コアの前端縁近傍をバランス良く伸長させることができる。
【００１０】
前記吸液性コアの前記前端縁と前記第１弾性体との前記縦方向における離間寸法が、前記前端縁と前記第２弾性体との前記縦方向における離間寸法よりも大きいことから、吸液性コアと重なる部分で安定的に身体にフィットさせることができる。
【００１１】
前記前ウエスト域は、内外端縁と、前記外端縁と前記吸収パネルの前端縁との間に位置する外側弾性域と、前記吸液性コアの前記縦方向の外側において前記吸収パネルの前端部と重なって位置する第１中間弾性域と、前記第１中間弾性域から前記縦方向の内側へ延びる領域を２等分して区分された、前記第１中間弾性域側から前記縦方向へ順に並ぶ第２中間弾性域及び内側弾性域を有し、前記第１及び第２弾性体は前記第１中間弾性域に位置し、前記第３弾性体は前記第２中間弾性域に位置しており、前記外側弾性域の伸長応力よりも前記第１中間弾性域の伸長応力が高いことから、着用するときにはウエスト開口を拡げ易くなる一方、着用状態において前ウエスト域をしっかりとホールドすることができる。
【００１２】
前記前ウエスト域において、前記各弾性域の伸長応力の相関関係が、第２中間弾性域＞第１中間弾性域≧外側弾性域＞内側弾性域であることから、前ウエスト弾性体域のうちで最も第２中間弾性域の伸長応力が高くなり、前ウエスト域を着用者の腹部のうちで最も凹となる部分において安定的にフィットさせることができる。
【００１３】
前記第１中間弾性域において、前記第１及び第２弾性体を除く他の弾性体の収縮力が、前記第１及び第２弾性体の収縮力よりも大きいことから、吸液性コアの前端縁近傍において身体に強く押し当てて違和感を与えることがない一方、第２中間弾性域全体としては所要の伸長応力を発揮するので、前ウエスト域の位置ずれを効果的に防止することができる。
【００１４】
前記後ウエスト域は、内外端縁と、前記外端縁と前記吸収パネルの後端縁との間に位置する外側弾性域と、前記吸液性コアの前記縦方向の外側において前記吸収パネルの後端部と重なって位置する第１中間弾性域と、前記第１中間弾性域から前記縦方向の内側へ延びる領域を２等分して区分された、前記第１中間弾性域側から前記縦方向へ順に並ぶ第２中間弾性域及び内側弾性域を有し、各弾性域の伸長応力の相関関係が、外側弾性域≧第１中間弾性域＞第２中間弾性域＞内側弾性域であるから、後ウエスト域においては、ウエスト開口側においてしっかりと身体にホールドさせることができる。
【００１５】
前記後ウエスト域の前記外側弾性域の伸長応力が、前記前ウエスト域の前記外側弾性域の伸長応力よりも高いことから、腹側に比べて動きの少ない背側において身体にフィットさせることができ、ウエスト周りにおいてウエスト開口縁部が所要のホールド力を発揮することができる。
【００１６】
前記前後ウエスト域の前記第１中間弾性域は、それぞれ、前記吸収パネルのうちの前記吸液性コアの前記前後端縁から前記縦方向の外側に位置する前後端縁と平面視において重なる。
【００１７】
前記吸収パネルの前記肌対向面側において前記縦方向へ延びる一対の防漏カフをさらに有し、前記防漏カフは、前記縦方向において対向する両端固定部と、前記縦方向へ延びる両側部と、前記縦方向へ延びる複数条のカフ弾性体が配置された自由縁部とを有し、前記吸収パネルの前記前後端縁において前記両端固定部が固定されることから、前記吸収パネルの前後端縁の厚さ寸法が部分的に大きくなり、それと重なるように比較的に収縮力の高い弾性体を配置しても、身体にゴム跡が付くことはない。
【００１８】
前記吸液性コアには、前記前端縁から前記縦方向の内側へ延びる変形誘導部が形成されるので、前ウエスト弾性域の作用によって吸液性コアの前端部を腹部に沿うように変形させることができる。
【発明の効果】
【００１９】
本発明の１つ以上の実施形態に係る使い捨て着用物品によれば、吸液性コアの前端縁近傍を強く締めて着用者に違和感を与えることなく、吸液性コアを身体に押し当てて腹部の凹となる部分に前ウエスト域の一部が落ち込むのを防止することができる。
【図面の簡単な説明】
【００２０】
【図１】本発明の第１実施形態に係る使い捨て着用物品の一例として示す、使い捨ておむつの斜視図。
【図２】おむつのサイドシーム部を剥離して前後方向に伸展した状態をその内面から見た一部破断展開平面図。
【図３】前ウエスト域の拡大図。
【図４】後ウエスト域の拡大図。
【図５】おむつの着用された態様を示す側面図。
【図６】（ａ）比較例におけるおむつの着用された態様を示す図。（ｂ）実施例におけるおむつの着用された態様を示す図。
【図７】おむつの着用状態における、各弾性域の配置態様を示す側面図。
【図８】第２実施形態に係るおむつの展開平面図。
【発明を実施するための形態】
【００２１】
下記の実施の形態は、本発明の一例である図１〜図８に示す使い捨ておむつ１０に関し、発明の不可欠な構成ばかりではなく、選択的及び好ましい構成を含む。図２，３，４及び８において、おむつ１０は、後述する各弾性体の収縮力に抗して、各弾性体によるギャザーが自然な視覚によって実質的に無くなっているように見える程度にまで伸長された状態にある。なお、各図において、後記の前後ウエスト弾性体３０，４０の配置態様を明らかにするために、おむつ１０を肌対向面側から視た場合であっても、仮想線で示している。
【００２２】
＜第１実施形態＞
図１〜図３に示すとおり、本発明の使い捨て着用物品の一例として示す使い捨ておむつ１０は、縦方向Ｙ及びそれに直交する横方向Ｘと、横方向Ｘの幅寸法を二等分する仮想中心線Ｐ−Ｐと、肌対向面及びそれに対向する非肌対向面と、弾性ウエストパネル１１と、弾性ウエストパネル１１の肌対向面に取り付けられた吸収パネル１２と、前ウエスト域１３と、後ウエスト域１４と、前後ウエスト域１３，１４間を縦方向Ｙに延びるクロッチ域１５とを含む。おむつ１０は、仮想中心線Ｐ−Ｐに関して対称に形成されており、弾性ウエストパネル１１は、前ウエスト域１３を形成する前ウエストパネル１６と、後ウエスト域１４を形成する後ウエストパネル１７とから構成されている。
【００２３】
前ウエストパネル１６は、吸収パネル１２と交差し、横方向Ｘに延びる内端縁（前ウエスト域１３の内端縁）１６ａと、縦方向Ｙにおいて内端縁１６ａと離間対向して横方向Ｘに延びる外端縁（前ウエスト域１３の外端縁）１６ｂと、内外端縁１６ａ，１６ｂ間において縦方向Ｙに延びる両側縁（前ウエスト域１３の両側縁）１６ｃ，１６ｄとによって横長矩形状に画成されている。
【００２４】
後ウエストパネル１７は、前ウエストパネル１６とほぼ同形同大であって、吸収パネル１２と交差し、横方向Ｘに延びる内端縁（後ウエスト域１４の内端縁）１７ａと、縦方向Ｙにおいて内端縁１７ａと離間対向して横方向Ｘへ延びる外端縁（後ウエスト域１４の外端縁）１７ｂと、内外端縁１７ａ，１７ｂ間において縦方向Ｙに延びる両側縁（後ウエスト域１４の両側縁）１７ｃ，１７ｄとによって、横長矩形状に画成されている。
【００２５】
前ウエストパネル１６の両側縁部と後ウエストパネル１７の両側縁部とは、互いに重ね合わせられて、縦方向Ｙに断続的に接合されるサイドシーム部１８によって連結され、ウエスト開口１９及び一対のレッグ開口とが画成されている（図１参照）。サイドシーム部１８は、公知の接合手段、例えば、熱エンボス加工、ソニック加工などの各種熱溶着手段によってなされる。
【００２６】
前後ウエストパネル１６，１７は、肌対向面に位置する内層シート２１，２２と、非肌対向面に位置する外層シート２３，２４とを有する。内層シート２１，２２と外層シート２３，２４とは、質量が１５〜３０ｇ／ｍ２の不透液性のＳＭＳ（スパンボンド・メルトブローン・スパンボンド）繊維不織布またはスパンボンド繊維不織布、若しくは、プラスチックシートやそれらのラミネートシートから形成されている。両シート２１〜２４は、少なくともいずれか一方のシートの内面に塗布されたホットメルト接着剤（図示せず）を介して接合されている。
【００２７】
前後ウエストパネル１６，１７において、内層シート２１，２２と外層シート２３，２４との間には、両側縁１６ｃ，１６ｄ，１７ｃ，１７ｄ間において横方向Ｘに延びる複数条のストランド状又はストリング状からなる前後ウエスト弾性体３０，４０が、ホットメルト接着剤等の公知の接着手段によって横方向Ｘにおいて伸長状態で収縮可能に配設されている。内外層シート２１〜２４は、前後ウエスト弾性体３０，４０を構成する各弾性体に塗布したホットメルト接着剤を介してのみ互いに接合されていてもよい。
【００２８】
図２〜図４を参照すると、前後ウエスト域１３，１４は、複数条の前後ウエスト弾性体３０，４０が配設されていることによって、両側縁１６ｃ，１６ｄ，１７ｃ，１７ｄ間において横方向Ｘへ伸縮可能に延びる前後ウエスト弾性域を有する。前後ウエスト弾性域は、それぞれ、外端縁１６ｂ，１７ｂ側に位置して横方向Ｘへ延びる外側弾性域５０，６０と、内端縁１６ａ，１７ａ側に位置して横方向Ｘへ延びる内側弾性域５３，６３と、外側弾性域５０，６０の縦方向Ｙの内側において隣接して、横方向Ｘへ延びる第１中間弾性域５１，６１と、内側弾性域５３，６３と第１中間弾性域５１，６１との間に位置して横方向Ｘへ延びる第２中間弾性域５２，６２とを有する。前後ウエスト域１３，１４は、これら弾性域が配置されていることによって、全体的に少なくとも横方向へ弾性を有し、未着用の状態（収縮された状態）において、複数のギャザーが形成されている。なお、前後ウエスト弾性体３０，４０の収縮力によって吸液性コア２５に吸液性を阻害するような皺が形成されるのを避けるために、前後ウエスト弾性体３０，４０を吸液性コア２５の存在域において切断、除去してもよい。ただし、かかる場合であっても、前後ウエスト域１３，１４の両側縁１６ｃ，１６ｄ，１７ｃ，１７ｄから吸液性コア２５の両側縁までの領域においては前後ウエスト弾性体３０，４０の収縮力が発揮されていることから、吸液性コア２５が身体から離間することはない。
【００２９】
吸収パネル１２は、前後端縁１２ａ，１２ｂと、前後端縁１２ａ，１２ｂ間において縦方向Ｙへ延びる両側縁１２ｃ，１２ｄとよって画定された縦長矩形状を有する。吸収パネル１２は、液拡散性のコアカバーシートに包被された吸液性コア２５と、吸液性コア２５の肌対向面側に位置する親水性／透液性の内面シート（身体側ライナ）２６と吸液性コア２５の非肌対向面側に位置する疎水性又は不透液性の繊維不織布から形成された被覆シート２７と、吸液性コア２５の非肌対向面側において、少なくともその底面を被覆する大きさを有する疎水性又不透液性のプラスチックシートから形成された防漏フィルム２８とを有する。
【００３０】
吸液性コア２５は、超吸収性ポリマー粒子（ＳＡＰ）とフラッフ木材パルプとを混合して所要の形状に賦型された半剛性のパネルであって、前後端縁２５ａ，２５ｂと、前後端縁２５ａ，２５ｂ間において縦方向Ｙへ凹状に延びる両側縁２５ｃ，２５ｄとから画定された外形輪郭をなしている。また、コアカバーシートは、吸液性コア２５の保形及び体液の拡散をするためのシートであって、比較的に肉薄の親水性シート、ティッシュペーパ等から形成される。
【００３１】
被覆シート２７は、防漏フィルム２８の両側縁から横方向Ｘの外側に位置する両側部７０を有する。両側部７０は、内面シート２６の両側縁に沿って内方へ折曲されており、該折曲部位に沿って縦方向Ｙへ延びる内面シート２６に固定された両固定側部（近位部）と、その両端部の内面が内面シート２６に固定された両端固定部７１とを有する。両側部７０の外側縁には、内面シート２６の内面に固定されていない、スリーブ状又はループ状の自由縁部（遠位縁部）７２が位置し、自由縁部７２の内部には縦方向Ｙへ延びる複数条のストリング状又はストランド状のカフ弾性体７３が伸長状態で収縮可能に配設される。カフ弾性体７３が収縮することによって、自由縁部７２が内面シートから着用者の身体側へ離間し、両側部７０は、着用者の大腿部にフィットして排泄物を封じ込めるバリアカフとして機能する。また、被覆シート２７の両側部７０と防漏フィルム２８との間には、複数条のストリング状又はストランド状のレッグ弾性体７５が、縦方向Ｙへ伸長状態で収縮可能に取り付けられる。おむつ１０の平面視において、レッグ弾性体７５の前後端部が前後ウエストパネル１６，１７と重なって位置している。このように、レッグ弾性体７５の収縮作用によるレッグ弾性域と前後ウエスト弾性域の一部とが交差することによって、レッグ開口縁部には、仮想の弾性帯が形成され、着用者の身体に面状に安定的にフィットして、排泄物の漏れを防止することができる。
【００３２】
再び、図３及び図４を参照すると、前後ウエスト域１３，１４における各弾性域の区分について、吸収パネル１２との位置関係に基づいてさらに具体的に説明すると、外側弾性域５０，６０は、前後ウエスト域１３，１４の外端縁１６ｂ，１７ｂと吸収パネル１２の前後端縁１２ａ，１２ｂとの間に位置し、第１中間弾性域５１，６１は、吸収パネル１２のうちの吸液性コア２５の前後端縁２５ａ，２５ｂから縦方向Ｙの外側に位置する前後端部７７，７８と重なって位置している。また、前ウエスト弾性域において、第１中間弾性域５１と第２中間弾性域５２との境界は、吸液性コア２５を横断して延びる後記の第２弾性体３２と第３弾性体３３とが離間した部分の中央部位である。第２中間弾性域５２，６２と内側弾性域５３，６３との境界は明確に規定されておらず、例えば、前ウエスト域１３のうちの第１中間弾性域５１，６１から下方に延びる領域を２等分することによって区分することができる。また、各弾性域は、前後ウエスト域１３，１４の縦方向Ｙの寸法を４つに均等に区分することによって画定することもできるが、その場合であっても、第１中間弾性域５１，６１と第２中間弾性域５２，６２との境界は、吸液性コア２５の前後端縁２５ａ，２５ｂと重なる又はその近傍に位置する。
【００３３】
図３を参照すると、前ウエスト弾性体３０は、吸液性コア２５の前端縁２５ａの縦方向Ｙの外側に最も隣接して位置する第１弾性体３１と、前端縁２５ａの縦方向Ｙの内側において最も隣接して位置する第２弾性体３２と、第２弾性体３２の縦方向Ｙの内側において最も隣接して位置する第３弾性体３３とを有する。第１弾性体３１と第２弾性体３２とは、縦方向Ｙにおいて、吸液性コア２５の前端縁を挟んで対向して位置している。
【００３４】
図５を参照すると、おむつ１０の着用状態において、吸液性コア２５の前端部は、着用者の前方に突出した腹部のうちの中央から下方へ傾斜して延びる、腹部において最も凹となる部分６９と対向して位置している。吸液性コア２５は、半剛性であるから比較的に剛性が高く、前端縁２５ａ近傍が身体から離間しないように安定的に当接させる必要がある。しかし、吸液性コア２５の前端縁部と重なる前ウエスト弾性域の部分全体の伸長応力を大きくした場合には、前端縁２５ａ近傍が体に食い込んで、シート部材のみから形成されて比較的に剛性が低い吸収パネル１２の前端部７７との間に段差が生じてウエスト開口縁部が下方へずり落ちるおそれがある。
【００３５】
本実施形態においては、吸液性コア２５の前端縁２５ａの外側及び内側において隣接する第１及び第２弾性体３１，３２の収縮力が比較的に小さいことから、吸液性コア２５の前端縁２５ａ近傍が身体に押し当てられて、前端縁２５ａと前端部７７との間に段差が生じることはない。また、第２弾性体３２に隣接する第３弾性体３３の収縮力は第１及び第２弾性体３１，３２の収縮力よりも高いことから、吸液性コア２５の前端縁部が身体の腹部の最も凹となる部分６９に押し当てられて、その浮き上がりを防止することができる。
【００３６】
第１〜第３弾性体３１〜３３の収縮力についていえば、第１弾性体３１の収縮力は０．１２〜０．１５Ｎ、第２弾性体３２の収縮力は０．１６〜０．２０Ｎ、第３弾性体３３の収縮力は０．２１〜０．２６Ｎであって、具体的な実施例においては、例えば、第１弾性体３１が０．１３３Ｎ、第２弾性体３２が０．１７８Ｎ、第３弾性体３３が０．２３４Ｎである。
【００３７】
＜各弾性体の収縮力の測定方法＞
第１〜第３弾性体３１〜３３を含む各前後ウエスト弾性体３０，４０の収縮力は、前後ウエストパネル１６，１７において、所定幅（縦方向Ｙの寸法）を有する、各弾性体を含む領域を短冊片状に切り取ることによって求めることができる。具体的には、例えば、第２弾性体３２の収縮力を測定するときには、まず、弾性ウエストパネル１１から吸収パネル１２を取り外した後に、サイドシーム部１８を剥離して前後ウエストパネル１６，１７を分離する。次に、前ウエストパネル１６において、第１弾性体３１と第２弾性体３２とのピッチ間の縦方向の寸法を２等分する中央部位を横断する第１切断ラインと、第２弾性体３２と第３弾性体３３とのピッチ間の縦方向Ｙの寸法を２等分する中央部位を横断する第２切断ラインとに沿って第２弾性体３２を含む、両側縁１６ｃ，１６ｄ間に延びる所定幅の短冊片を切り取って試験片とした。なお、試験片を切り出す前に、おむつ１０を展開してその表面に各弾性体の収縮作用によるギャザーがなくなる程度にまで伸長させた状態で、試験片の横方向Ｘの寸法を測定して初期寸法とした。
【００３８】
次に、（株）島津製作所製のオートグラフ型引張試験機（例えば、ＡＧ−１ＫＮ１）を用いて、各試料の一方端を固定チャック、他方端を可動チャックに挟み、３００ｍｍ／ｍｉｎの速度で初期寸法の約９０％の大きさまで伸長させた後に反転させて、初期寸法の約７５％の大きさまで収縮させたときの引張荷重（Ｎ）を求めて、各弾性体３０、４０の収縮力とした。
【００３９】
各弾性体３０，４０の収縮力は、繊度及び伸長倍率によって適宜調整することが可能であって、第１〜第３弾性体３１〜３３の太さについていえば、第１及び第２弾性体３１，３２の太さは３５０〜５５０ｄｔｅｘ、第３弾性体３３の太さは、５００〜７００ｄｔｅｘである。また、第１弾性体３１は２．１〜２．４倍、第２及び第３弾性体３２，３３は、２．４〜２．６倍に伸長された状態で取り付けられており、第１弾性体３１の伸長倍率が、第２及び第３弾性体３２，３３の伸長倍率よりも低くなっている。第１弾性体３１は、第２及び第３弾性体３２，３３と異なり、吸液性コア２５を横断するものではないので比較的に伸長され易く、その伸長倍率が比較的に高い場合には、前方へ突出する腹部によってウエスト周り方向へ拡げられる一方、吸液性コア２５の配置された部分では弾性体が伸び難くなっているので、それらの間に隙間が生じることがある。本実施形態においては、第１弾性体３１の伸長倍率を第２及び第３弾性体３２，３３の伸長倍率よりも低くなるように設定することによって、各弾性体の伸長量の相違を低減してバランスよく伸長させることによって、上記のような不利益が生じないようにしている。
【００４０】
図３を参照すると、吸液性コア２５の前端縁２５ａと第１弾性体３１との縦方向Ｙにおける離間寸法Ｒ１が、前端縁２５ａと第２弾性体３２との縦方向Ｙにおける離間寸法Ｒ２よりも大きくなっている。具体的には、離間寸法Ｒ１が、４．０〜６．０ｍｍであるのに対し、離間寸法Ｒ２は、０．５〜１．５ｍｍである。このように、吸液性コア２５を横断する第２弾性体３２を第１弾性体３１よりも前端縁２５ａに近接させることによって、吸液性コア２５の前端縁部を身体に押し当てて、それが身体から離間するのを抑制することができる。前ウエスト弾性体３０間の縦方向Ｙの離間寸法（ピッチ）については、外側弾性域５０に配置された前ウエスト弾性体３０のピッチが３．０〜６．０ｍｍ、第１〜第３弾性体３１〜３３を含めた第１及び第２中間弾性域５１，５２における前ウエスト弾性体３０のピッチが４．０〜７．０ｍｍであって、外側弾性域５０の弾性体のピッチが第１及び第２中間弾性域５１，５２の弾性体のピッチよりも小さくなっている。
【００４１】
内側弾性域５３に位置する弾性体と第２中間弾性域５２のうちの最下に位置する弾性体との離間寸法Ｒ３は８.０〜１２．０ｍｍ、内側弾性域５３に位置する弾性体と前ウエスト域１３の内端縁１６ａとの離間寸法Ｒ４は、２８〜３５ｍｍである。また、前ウエスト域１３の外端縁１６ｂから吸収パネル１２の前端縁１２ａまでの離間寸法Ｒ５は、２０〜２４ｍｍである。
【００４２】
前ウエスト弾性域において、第１及び第２弾性体３１，３２は第１中間弾性域５１に位置し、第３弾性体３３は第２中間弾性域５２に位置している。また、第１中間弾性域５１の横方向Ｘにおける所定幅の伸長応力が、外側弾性域５０の横方向Ｘにおける所定幅の伸長応力よりも高くなっている。第１中間弾性域５１は、吸収パネル１２と重なっていることから、外側弾性域５０に比べて積層される構成部材が多いので伸縮し難いところ、その伸長応力を外側弾性域５０よりも高くなるように設定することによって、着用する際に外側弾性域５０とともに横方向Ｘへ拡げることができ、また、着用中に、着用者の胴回りを安定的にホールドすることができる。
【００４３】
前ウエスト弾性域において、各弾性域の横方向Ｘにおける所定幅の伸長応力の相関関係は、第２中間弾性域５２＞第１中間弾性域５１≧外側弾性域５０＞内側弾性域５３である。
【００４４】
図６（ａ）は、おむつ１０と同様の基本構成を備えた比較例におけるおむつ１００において、前ウエスト弾性域において第１中間弾性域１５１の伸長応力を最も高く設定した場合の着用態様を示す図である。前ウエスト弾性域１１３において、第１中間弾性域１５１の伸長応力を最も高くした場合には、第１中間弾性域１５１は着用者の腹部の中央から下り勾配に延びる腹部のうちで最も凹となる部分と対向して位置しているので、縮み量がより大きくなり、比較的に剛性の高い吸液性コア１２５との間に段差が生じて第１中間弾性域１５１が吸収パネル１１２の吸液性コア１２５と身体との間に落ち込んで前ウエスト開口縁１１６ａが下方へ傾斜したような態様となり、前ウエスト域全体が下方へ位置ずれすることがある。
【００４５】
図６（ｂ）は、実施例におけるおむつ１０の着用された態様を示す図であって、吸液性コア２５の前端縁部と重なる第２中間弾性域５２の伸長応力を最も高く設定することによって、吸液性コア２５を着用者の身体にしっかりと押し当てて、前ウエスト域１３全体の位置ずれを抑制されており、第１中間弾性域５１が腹部の凹となる部分に落ち込んでいない。
【００４６】
前ウエスト弾性域における横方向Ｘにおける所定幅の伸長応力は、具体的には、外側弾性域５０が０．０１９〜０．０２９Ｎ／ｍｍ、第１中間弾性域５１が０．０２〜０．０３Ｎ／ｍｍ、第２中間弾性域５２が０．０２３〜０．０３３Ｎ／ｍｍ、内側弾性域５３が０．０１９〜０．０２９Ｎ／ｍｍである。
【００４７】
また、第１中間弾性域５１において、第１及び第２弾性体３１，３２を除く複数の弾性体（第１弾性体３１よりも縦方向Ｙの外側に位置する弾性体）３５の収縮力が、第１及び第２弾性体の収縮力よりも大きくなっている。具体的には、弾性体３５は、太さが第３弾性体３３とほぼ同じであって、５００〜７００ｄｔｅｘの範囲にあり、第１弾性体３１は２．１〜２．４倍に伸長された状態で固定されている。吸収パネル１２の前端縁１２ａ近傍においても、積層されるシート部材の変化によって段差が形成されやすいところ、比較的に高い収縮力を発揮しうる弾性体３５を配置することによって、かかる段差の発生を抑えることができる。また、吸収パネル１２の前端部７７には、被覆シート２７の防漏カフの固定部７１が位置している。前端部７７に固定部７１が位置することによって、前端部７７は比較的に肉厚な部分となるので、比較的に伸長力の高い弾性体３５を配置しても、身体にゴム跡が付くことはない。
【００４８】
再び、図４を参照すると、後ウエスト弾性域において、前ウエスト弾性域の第１〜第３弾性体３１〜３３に相当する弾性体、すなわち、吸液性コア２５の後端縁２５ｂの縦方向Ｙの内外側に位置する弾性体４１，４２と、弾性体４２の縦方向Ｙの内側に位置する弾性体４３との太さ及び伸長倍率は同じであって、具体的には、太さが５００〜７００ｄｔｅｘ、２．４〜２．６倍に伸長された状態で取り付けられている。このように、弾性体４１〜４３の太さと伸長倍率とを前ウエスト弾性域の第３弾性体３３と同じように設定することによって、比較的に高い収縮力で吸液性コア２５の後端縁部を身体に押し当てることができる。吸液性コア２５の後端縁部は、後方へ突出する臀部と対向して位置するので、比較的に強く臀部に押し当てても、吸液性コア２５の前端縁部のように吸収パネル１２の後端部７８との間に段差が形成されることはない。
【００４９】
後ウエスト弾性域においては、各弾性域の横方向Ｘにおける所定幅の伸長応力の相関関係が、外側弾性域６０≧第１中間弾性域６１＞第２中間弾性域６２＞内側弾性域６３となっている。このように、前ウエスト弾性域と異なり、後ウエスト弾性域において外側弾性域６０の伸長応力を最も高くすることによって、後ウエスト開口縁部を着用者の背面に安定的に当接させ、後ウエスト域１４の位置ずれを防止することができる。
【００５０】
図７を参照すると、おむつ１０の着用状態において、前ウエスト弾性域の外側弾性域５０と後ウエスト弾性域の外側弾性域６０、第１中間弾性域５１と第１中間弾性域６１、第２中間弾性域５２と第２中間弾性域６２、内側弾性域５３と内側弾性域６３とは、前後方向において対向して位置している。前ウエスト弾性域及び後ウエスト弾性域においては、内側弾性域５３，６３の伸長応力が最も低く設定されているので、ウエスト周り方向において、内側弾性域５３，６３によって形成された弾性帯の伸長応力が最も低くなっている。このように、前後ウエスト域１３，１４において、レッグ開口縁部を形成する内側弾性域５３，６３の伸長応力が最も低くなるように設定することによって、歩行時等における大腿部の動きが阻害されるのを避けることができる。
【００５１】
＜各弾性域における伸長応力の測定方法＞
各弾性域の伸長応力の測定には、（株）島津製作所製のオートグラフ型引張試験機（例えば、ＡＧ−１ＫＮ１）を用いた。まず、おむつ１０をその表面に各弾性体の収縮作用によるギャザーがなくなる程度にまで伸長させた状態で、前後ウエスト域１３，１４におけるサイドシーム部１８の内側縁間の横方向Ｘの寸法（Ｋ１，Ｋ２）を予め測定した後に、おむつ１０のサイドシーム部１８を含めた両側縁部をカッターで切断し、前ウエスト域１３側の部分と後ウエスト域１４側の部分とから、各弾性域５０−５３，６０−６３を切り取って試料（合計８枚）とした。次に、各試料の一方端を固定チャック、他方端を可動チャックに挟み、３００ｍｍ／ｍｉｎの速度で初期寸法Ｋ１，Ｋ２の約９０％の大きさまで伸長させた後に反転させて、初期寸法Ｋ１，Ｋ２の約７５％の大きさまで収縮させたときの引張荷重（Ｎ）を求めて、単位幅（ｍｍ）当たりの応力値（Ｎ／ｍｍ）に換算して伸長応力とした。
【００５２】
＜第２実施形態＞
図８は、第２実施形態に係るおむつ１０の図２と同様の展開平面図である。本実施形態に係るおむつ１０の基本的構成態様は、第１実施形態と同様であって、相違する構成について以下に説明する。
【００５３】
図８を参照すると、本実施形態においては、吸液性コア２５の前後端部に、縦方向Ｙへ延びる複数の変形誘導部８０，８１が形成されている。変形誘導部８０は、互いに横方向Ｘに所与寸法離間して位置するライン状であって、吸液性コア２５の一部を取り除いたり、圧縮したりすることによって形成された肌対向面側から非肌対向面側へ凹となる条溝であってもよいし、吸液性コア２５が存在しないスリットであってもよい。後ウエスト域１４の中央部では、第２中間弾性域６２と内側弾性域６３とに位置する後ウエスト弾性体４０の一部が切断、除去されることによって、吸液性コア２５の後端部と重なる位置に非弾性域８２が画定されている。
【００５４】
吸液性コア２５の前端部に位置する変形誘導部８０は、前端縁２５ａからクロッチ域１５側へ向かって延びる。第２中間弾性域５２の第３弾性体３３を含む複数の前ウエスト弾性体３０が変形誘導部８０を横断していることによって、吸液性コア２５の前端部の幅寸法が縮められるとともに、変形誘導部８０間に位置する部分が腹部に沿って湾曲するので、着用者が立位から座位に姿勢を変化させたときであっても、吸液性コア２５が身体の体形に沿って腹部を圧迫することはない。一方、後ウエスト域においては、変形誘導部８１が、吸液性コア２５の後端縁２５ｂから縦方向Ｙの内側に離間して位置している。また、変形誘導部８１は、非弾性域８２に配置されており、後ウエスト弾性体４０が横断してその収縮力によって直接的に吸液性コア２５の後端部が変形されるものではないが、後端部に変形誘導部８１が形成されていることによって、臀部の丸みに沿って湾曲状に変形しやすくなり、着用感が向上される。
【００５５】
おむつ１０を構成する各構成部材には、本明細書に記載されている材料のほかに、この種の物品において通常用いられている各種の公知の材料を制限なく用いることができる、また、本発明の明細書及び特許請求の範囲において、「第１」，「第２」及び「第３」の用語は、同様の要素、位置などを単に区別するために用いられている。
【符号の説明】
【００５６】
１０  使い捨て着用物品（使い捨ておむつ）
１２  吸収パネル
１２ａ  吸収パネルの前端縁
１２ｂ  吸収パネルの後端縁
１３  前ウエスト域
１４  後ウエスト域
１５  クロッチ域
１６ａ  前ウエスト域の内端縁
１６ｂ  前ウエスト域の外端縁
１７ａ  後ウエスト域の内端縁
１７ｂ  後ウエスト域の外端縁
２５  吸液性コア
２５ａ  吸液性コアの前端縁
２５ｂ  吸液性コアの後端縁
３０  前ウエスト弾性体
３１  第１弾性体
３２  第２弾性体
３３  第３弾性体
３５  弾性体
５０，６０  外側弾性域
５１，６１  第１中間弾性域
５２，６２  第２中間弾性域
５３，６３  内側弾性域
７０  両側部
７１  両端固定部
７２  自由縁部
７３  カフ弾性体
８０  変形誘導部
Ｒ１  第１弾性体と吸液性コアの前端縁との縦方向における離間寸法
Ｒ２  第２弾性体と吸液性コアの前端縁との縦方向における離間寸法
Ｘ    横方向
Ｙ    縦方向
【図１】
0006449135.tif 000002
【図２】
0006449135.tif 000003
【図３】
0006449135.tif 000004
【図４】
0006449135.tif 000005
【図５】
0006449135.tif 000006
【図６】
0006449135.tif 000007
【図７】
0006449135.tif 000008
【図８】
0006449135.tif 000009